(57)【要約】【課題】乱視軸が４５°に近いような眼鏡レンズであっても、この眼鏡レンズがフレームに適正に取り付けられているか否かを良好に確認できる検査装置を提供する。【解決手段】検査装置１は、フレーム２１の両眼の上端または下端を当てることにより、フレーム２１を水平にセット可能な第１の基準板１１と、第１の基準板１１に対して垂直に取り付けられた透明で平坦な第２の基準板１２とを有する。第２の基準板１２には、この第２の基準板１２を透過した状態で眼鏡レンズ２２の水平基準線を示すマーク２３と照合するための照合線１３であって、第１の基準板１１と平行な照合線１３が設けられている。【選択図】図１
2009217219.tif 000002
【特許請求の範囲】
【請求項１】
フレームの両眼の上端または下端を当てることにより、前記フレームを基準姿勢にセット可能な第１の基準板と、
前記第１の基準板に対して垂直に取り付けられた透明で平坦な第２の基準板とを有し、
前記第２の基準板には、当該第２の基準板を透過した状態で眼鏡レンズの基準線を示すマークと照合するための照合線であって、前記第１の基準板と平行な照合線が設けられている、眼鏡の検査装置。
【請求項２】
請求項１において、前記第２の基準板には、複数の前記照合線が設けられている、眼鏡の検査装置。
【請求項３】
請求項１または２において、前記照合線に対して傾いた補助照合線をさらに有する、眼鏡の検査装置。
【請求項４】
フレームに眼鏡レンズが取り付けられた状態を、検査装置を用いて検査する方法であって、
前記眼鏡レンズは、当該眼鏡レンズの基準線を示すマークを有し、
前記検査装置は、前記フレームの両眼の上端または下端を当てることにより、前記フレームを基準姿勢にセット可能な第１の基準板と、
前記第１の基準板に対して垂直に取り付けられた透明で平坦な第２の基準板とを有し、
前記第２の基準板には、前記眼鏡レンズの基準線を示す前記マークと照合するための照合線であって、前記第１の基準板と平行な照合線が設けられており、
当該方法は、
前記第２の基準板を透過して、前記眼鏡レンズの前記マークを前記照合線と照合することを含む、検査方法。
【発明の詳細な説明】
【技術分野】
【０００１】
本発明は、フレームに眼鏡レンズが適正に取り付けられているか否かを検査するための眼鏡の検査装置と検査方法に関するものである。
【背景技術】
【０００２】
特許文献１には、眼鏡枠にレンズが枠入れされた眼鏡の玉型形状等を検査する眼鏡検査用チャート及びこの眼鏡検査用チャートを作成するための装置が開示されている。この眼鏡検査用チャートの作成装置には、眼鏡の左右レンズの光学中心間距離ＰＤ等の処方値及び眼鏡枠の幾何中心間距離ＦＰＤ等を入力する発注用端末機が設けられている。また、この眼鏡検査用チャートの作成装置には、眼鏡枠の玉型形状を測定するフレームリーダが設けられている。さらに、この眼鏡検査用チャートの作成装置には、入力データと玉型形状データに基づいて、ＦＰＤを有する玉型形状とＰＤを有するレンズの光学中心とからなる検査用チャートを眼鏡と同率にて作成する受信用端末機及びファクシミリ装置が設けられている。そして、作成された眼鏡検査用チャートと、レンズが枠入れされた眼鏡完成品とを照合し、眼鏡枠の玉型形状、光学中心等が、眼鏡検査用チャートと一致しているか否かを検査している。
【０００３】
また、眼鏡レンズは、乱視度数や加入度などがあり、光軸に対して回転対称ではない、すなわち、光軸の回りに等価でない場合が多い。このため、眼鏡レンズには、洗浄などにより除去可能なマークであって、基準線を示すマーク、例えば、レンズ装着時の水平を示すマークが設けられている。そして、眼鏡レンズをフレームに取り付けた後、眼鏡レンズがフレームに適正に取り付けられているか否か、すなわち、眼鏡レンズの基準線を示すマークがフレームの基準姿勢（水平）と一致するように、眼鏡レンズがフレームに取り付けられているか否かを検査している。
【０００４】
図４は、従来の眼鏡用検査装置５０を斜視図により示している。図５は、図４の検査装置５０に眼鏡２０をセットした状態を平面図（上面図）により示している。この検査装置５０は、眼鏡レンズ２２の水平基準線を示すマーク２３がフレーム２１に対して水平となるように眼鏡レンズ２２がフレーム２１に取り付けられているか否かを検査するための装置である。この検査装置５０は、鉛直方向に延びる鉛直基準板５１と、鉛直基準板５１の下端から水平方向に延びる水平基準板５２とを有している。水平基準板５２の上面には、鉛直基準板５１と平行な複数の照合線５３が設けられている。
【０００５】
眼鏡レンズ２２の水平基準線を示すマーク２３の一例は、水平基準線上に位置する３つのドット２３ａ、２３ｂ、および２３ｃである。第１のドット２３ａは、眼鏡レンズ２２の中心（光軸上）に設けられている。第２のドット２３ｂおよび第３のドット２３ｃは、第１のドット２３ａを通る基準線上（水平基準線上）であって、第１のドット２３ａに対して互いに対称な位置に設けられている。これらのドット２３ａ、２３ｂ、および２３ｃにより示される基準線は、眼鏡レンズ２２を装着したときの水平を示す。
【０００６】
この検査装置５０では、以下のようにして、眼鏡レンズ２２がフレーム２１に適正に取り付けられているか否かを検査する。まず、眼鏡レンズ２２の外面が水平基準板５２と対向するように眼鏡２０を水平基準板５２の上に置き、フレーム２１の両眼の上端２１ａを鉛直基準板５１に当接させ、フレーム２１の水平と、照合線５３とを合致させる。そして、眼鏡レンズ２２に設けられたマーク２３と、眼鏡レンズ２２を透過して見た水平基準板５２の照合線５３とを照合する。すなわち、３つのドット２３ａ〜２３ｃが照合線５３に沿って並んでいるかを検査する。
【特許文献１】特開平６−２４２４０８号公報
【発明の開示】
【発明が解決しようとする課題】
【０００７】
従来の検査装置５０では、水平基準線を示すマーク２３が鉛直基準板５１と平行な照合線５３に沿っているか否かを確認する。これにより、眼鏡レンズ２２がフレーム２１に適正に取り付けられているか否か、すなわち、眼鏡レンズ２２の水平と、フレーム２１の水平とが合致しているか否かを検証している。
【０００８】
しかしながら、乱視軸処方が４５°に近い眼鏡レンズ（斜軸乱視のレンズ）の場合、眼鏡レンズ２２を透過させて見た検査装置５０の照合線５３は、図５に示すように、屈折し、曲がって見える。また、ラップアラウンド型と呼ばれる眼鏡では、眼鏡レンズは顔の丸みに沿って大きくカーブを描いている。このような眼鏡の場合、眼鏡レンズ２２を透過させて見た検査装置５０の照合線５３は、屈折し、曲がって見える。
【０００９】
これらの場合、従来の検査装置５０では、曲がって見える照合線５３に対して眼鏡レンズ２２のマーク２３を照合することになるため、眼鏡レンズ２２のマーク２３が水平に位置しているかどうかを正確に判断することが難しい。
【課題を解決するための手段】
【００１０】
本発明の一態様は、眼鏡の検査装置であって、フレームの両眼の上端または下端を当てることにより、フレームを基準姿勢にセット可能な第１の基準板と、第１の基準板に対して垂直に取り付けられた透明で平坦な第２の基準板とを有する。この検査装置において、第２の基準板には、この第２の基準板を透過した状態で眼鏡レンズの基準線を示すマーク（基準マーク、水平基準マーク）と照合するための照合線であって、第１の基準板と平行な照合線が設けられている。
【００１１】
この検査装置によれば、第２の基準板が透明であるため、観測者の目と眼鏡レンズとの間に照合線が設けられた第２の基準板が位置するようにし、第２の基準板を透過して、眼鏡レンズの基準線を示すマークと照合線とを照合できる。すなわち、眼鏡レンズを通らない（眼鏡レンズによる光の屈折効果の影響を受けない）目視光線で、眼鏡レンズの基準線を示すマークを第２の基準板の照合線と照合することができる。
【００１２】
この検査装置によれば、照合線が眼鏡レンズにより屈折し、曲がって見えるようなことがないため、乱視軸が４５°に近い眼鏡レンズを用いた眼鏡や、ラップアラウンド型と呼ばれる眼鏡であっても、眼鏡レンズの基準線を示すマークをまっすぐな照合線と照合できる。したがって、この検査装置によれば、眼鏡レンズがフレームに適正に取り付けられているか否か、すなわち、眼鏡レンズの基準線が、フレームの基準姿勢（水平）と一致しているか否かを、正確に判断することができる。
【００１３】
なお、基準線を示すマークは、水平などの基準線を示すように直線的に連続または断続的に設けられたマークであればよい。すなわち、基準線を示すマークは、直線、ドット、破線、記号、あるいは、これらの組み合わせなどとすることができる。
【００１４】
この検査装置において、第２の基準板には、複数の照合線が設けられていることが好ましい。眼鏡レンズのマークを、最も近い照合線と照合することにより、眼鏡レンズのマークが水平に位置しているか否かを、より正確に判断することができる。
【００１５】
この検査装置において、第２の基準板には、照合線に対して傾いた補助照合線がさらに設けられていてもよい。例えば、眼鏡レンズの許容される傾きと同じ傾きの補助照合線をさらに設けておくことにより、眼鏡レンズのマークが補助照合線の内側（鋭角側、照合線側）にある場合に、眼鏡レンズがフレームに適正に取り付けられていると判断することができる。
【００１６】
本発明の他の態様は、フレームに眼鏡レンズが取り付けられた状態を、検査装置を用いて検査する方法である。眼鏡レンズは、その眼鏡レンズの基準線を示すマーク（基準マーク、水平基準マーク）を有する。検査装置は、フレームの両眼の上端または下端を当てることにより、フレームを基準姿勢にセット可能な第１の基準板と、第１の基準板に対して垂直に取り付けられた透明で平坦な第２の基準板とを有する。第２の基準板には、眼鏡レンズの基準線を示すマークと照合するための照合線であって、第１の基準板と平行な照合線が設けられている。当該方法は、第２の基準板を透過して、眼鏡レンズのマークを照合線と照合することを含む。
【００１７】
この方法によれば、第２の基準板を透過して、眼鏡レンズのマークを照合線と照合するため、眼鏡レンズを通らない目視光線で、眼鏡レンズの基準線を示すマークと第２の基準板の照合線とを照合することができる。
【発明を実施するための最良の形態】
【００１８】
以下、図面を参照して、本発明の一実施形態について説明する。図１は、本発明の第１の実施形態にかかる眼鏡用検査装置１に眼鏡２０をセットした状態を斜視図により示している。図２は、図１の検査装置１に眼鏡２０をセットした状態を正面図により示している。
【００１９】
この検査装置１は、眼鏡レンズ２２の水平基準線を示すマーク２３が、フレーム２１の水平と一致するように眼鏡レンズ２２がフレーム２１に取り付けられているか否かを検査するための装置である。この検査装置１は、フレーム２１の水平と一致するようにセットされる第１の基準板１１と、この第１の基準板１１に対して垂直に取り付けられた（鉛直方向に延びる）透明で平坦な第２の基準板１２とを有している。第１の基準板１１に、フレーム２１の両眼の上端または下端を当てることにより、フレーム２１の水平方向に第１の基準板１１の方向（水平方向）を合わせることが可能である。本例では、第１の基準板１１は、フレーム２１の両眼の上端２１ａを当てるようになっている。
【００２０】
第２の基準板１２には、この第２の基準板１２を透過した状態で眼鏡レンズ２２の水平基準線を示すマーク２３と照合するための照合線１３であって、第１の基準板１１と平行な照合線１３が設けられている。照合線１３は、第２の基準板１２に、印刷、刻印などにより設けられている。また、第２の基準板１２には、照合線１３に対して傾いた一対の補助照合線１４ａおよび１４ｂがさらに設けられている。一対の補助照合線１４ａおよび１４ｂは、第２の基準板１２に、印刷、刻印などにより設けられている。一対の補助照合線１４ａおよび１４ｂは、照合線１３に対し、眼鏡レンズ２２の製造上許容される傾きθと同じだけ傾いている。すなわち、一方の補助照合線１４ａは、照合線１３に対し、＋θだけ傾いている。また、他方の補助照合線１４ｂは、照合線１３に対し、−θだけ傾いている。眼鏡レンズ２２のマーク２３が一対の補助照合線１４ａおよび１４ｂよりも内側（鋭角側、照合線１３側）にある場合に、眼鏡レンズ２２がフレーム２１に適正に取り付けられていると判断することができる。
【００２１】
眼鏡レンズ２２の水平基準線を示すマーク（基準マーク、水平基準マーク）２３の一例は、水平基準線上に位置する３つのドット２３ａ、２３ｂ、および２３ｃである。第１のドット２３ａは、眼鏡レンズ２２の中心（光軸上）に設けられている。第２のドット２３ｂおよび第３のドット２３ｃは、第１のドット２３ａを通る水平線上（水平基準線上）、すなわち、眼鏡レンズ２２を装着したときの基準線となる水平線に沿って設けられている。第２のドット２３ｂおよび第３のドット２３ｃは、第１のドット２３ａに対して互いに対称な位置に設けられている。第３のドット２３ｃは、第２のドット２３ｂよりも中心側に位置している。眼鏡レンズ２２の水平基準線を示すマーク２３（３つのドット２３ａ、２３ｂ、および２３ｃ）は、検査装置１における検査後、洗浄などにより眼鏡レンズ２２から除去することができるようになっている。
【００２２】
なお、水平基準線を示すマーク２３は、水平を示すように直線的に連続または断続的に設けられたマークであればよい。すなわち、水平基準線を示すマーク２３は、ドットだけでなく、直線、破線、記号、あるいは、これらの組み合わせなどであってもよい。
【００２３】
この検査装置１では、以下のようにして、眼鏡レンズ２２がフレーム２１に適正に取り付けられているか否かを検査する。まず、眼鏡レンズ２２の外面が第２の基準板１２と対向するように眼鏡２０を第１の基準板１１の上に置き、フレーム２１の両眼の上端を第１の基準板１１に当接させる。そして、観測者の目Ｅと眼鏡レンズ２２との間に照合線１３が設けられた第２の基準板１２が位置するようにし、第２の基準板１２側から、第２の基準板１２を透過して、眼鏡レンズ２２の水平基準線を示すマーク２３を照合線１３と照合する。
【００２４】
すなわち、従来の検査装置５０においては、照合線が付された基準板５２に対して、眼鏡レンズ２２の側から眼鏡レンズ２２を通して照合線を見て眼鏡レンズ２２の取りつけ状態を判断していた。この検査装置１では、それとは反対に、透明な第２の基準板１２に対して、眼鏡レンズ２２とは反対側から、第２の基準板１２を透過して眼鏡レンズ２２を見て、眼鏡レンズ２２の取りつけ状態を判断する。取りつけ状態の判断は、３つのドット２３ａ、２３ｂ、および２３ｃが照合線１３に沿って並んでいるか、あるいは、３つのドット２３ａ、２３ｂ、および２３ｃが一対の補助照合線１４ａおよび１４ｂよりも内側（鋭角側、照合線１３側）にあるかを検査（照合）することにより行う。３つのドット２３ａ、２３ｂ、および２３ｃが照合線１３に沿って並んでいる、あるいは、３つのドット２３ａ、２３ｂ、および２３ｃが一対の補助照合線１４ａおよび１４ｂよりも内側（鋭角側、照合線１３側）にある場合、眼鏡レンズ２２がフレーム２１に適正に取り付けられていると判断する。
【００２５】
この検査装置１によれば、眼鏡レンズ２２を通らない（眼鏡レンズ２２による光の屈折効果の影響を受けない）目視光線で、眼鏡レンズ２２の水平基準線を示すマーク２３を第２の基準板１２の照合線１３と照合することができる。したがって、水平基準線を示すマーク２３を、眼鏡レンズ２２による屈折効果の影響を受けない状態で、典型的にはまっすぐな照合線１３と照合できる。
【００２６】
以上のように、この検査装置１によれば、眼鏡レンズ２２による光の屈折効果の影響を受けない目視光線で、眼鏡レンズ２２の水平基準線を示すマーク２３を第２の基準板１２の照合線１３と照合する。このため、照合線１３が眼鏡レンズ２２により屈折し、曲がって見えるようなことがない。したがって、乱視軸が４５°に近い眼鏡レンズ２２を用いた眼鏡２０や、ラップアラウンド型と呼ばれる眼鏡２０であっても、眼鏡レンズ２２がフレーム２１に適正に取り付けられているか否か、すなわち、眼鏡レンズ２２のマーク２３がフレーム２１に対して水平に位置しているか否かを、正確に判断することができる。
【００２７】
図３は、本発明の第２の実施形態にかかる眼鏡用検査装置１に眼鏡２０をセットした状態を正面図により示している。この検査装置１では、第２の基準板１２に、第１の基準板１１と平行な複数の照合線１３が設けられている。その他は、第１の実施形態と同様であるため、重複する説明は、図面に同符号を付して省略する。
【００２８】
この検査装置１によれば、複数の照合線１３が設けられているため、種々の大きさの眼鏡２０に対応することができる。すなわち、眼鏡レンズ２２の大きさや形状が変化し、マーク２３の位置が変化しても、眼鏡レンズ２２のマーク２３を、最も近い照合線１３と照合することにより、眼鏡レンズ２２のマーク２３が水平に位置しているか否かを、正確に判断することができる。
【００２９】
なお、本発明の検査装置の使用向きは、上記実施形態に限定されるものではない。本発明の検査装置は、例えば、鉛直方向に第１の基準板を設けるとともに、第１の基準板よりも上方に水平方向に第２の基準板を設け、上側から、第２の基準板を透過して、眼鏡レンズのマークを照合線と照合するようにしてもよい。
【図面の簡単な説明】
【００３０】
【図１】本発明の第１の実施形態にかかる眼鏡用検査装置に眼鏡をセットした状態を示す斜視図。
【図２】図１の検査装置に眼鏡をセットした状態を示す正面図。
【図３】本発明の第２の実施形態にかかる眼鏡用検査装置に眼鏡をセットした状態を示す正面図。
【図４】従来の眼鏡用検査装置を示す斜視図。
【図５】図４の検査装置に眼鏡をセットした状態を示す平面図。
【符号の説明】
【００３１】
１    眼鏡用検査装置、  １１    第１の基準板
１２    第２の基準板、  １３    照合線
１４ａ、１４ｂ    補助照合線、  ２０    眼鏡
２１    フレーム、  ２１ａ    フレームの両眼の上端
２２    眼鏡レンズ、  ２３    マーク
２３ａ、２３ｂ、２３ｃ  ドット
【図１】
2009217219.tif 000003
【図２】
2009217219.tif 000004
【図３】
2009217219.tif 000005
【図４】
2009217219.tif 000006
【図５】
2009217219.tif 000007